(57)【要約】【課題】筐体を閉じた状態から縦と横の二方向に開くことが可能な開閉構造を備え、縦方向の特定の角度で横方向に開いたときに縦方向の開き角度を規制して維持することが可能なヒンジ装置と、これを備えた携帯機器と、を提供する。【解決手段】筐体を縦方向に開くための中間回転軸３４と筐体を横方向に開くための表示側固定軸３５とは、それぞれの端部である回転規制部３４ｂと回転規制部３５ａとが重なった状態で連結されている。回転規制部３４ｂは切欠き３４ｃ，３４ｄを備えており、回転規制部３５ａは切欠き３５ｂを備えている。筐体を縦方向に特定の角度で開いた後横方向に開くと、回転規制部３４ｂと回転規制部３５ａとが係合し、縦方向の回転角度が維持される。【選択図】図７
2010156363.tif 000002
【特許請求の範囲】
【請求項１】
第１の筐体と第２の筐体とを折り畳んだ状態から相対的に回転させて縦方向に開放させる第１の回転軸と、
前記第１の筐体と前記第２の筐体とを横方向に相対的に回転させる第２の回転軸と、
前記第１の回転軸と前記第２の回転軸とを夫々の端部が重なった状態で連結する連結部と、
前記第１の回転軸及び前記第２の回転軸が夫々所定の第１の角度及び第２の角度以外に有る場合に、前記第１の回転軸及び前記第２の回転軸のうちいずれか一方の回転軸が他方の回転軸に係合することで、前記一方の回転軸を回転可能とするとともに前記他方の回転軸の回転を規制し、前記第１の回転軸及び前記第２の回転軸が前記第１の角度及び前記第２の角度に有る場合に、前記係合を解除する係合部と、を備えた、
ことを特徴とするヒンジ装置。
【請求項２】
前記係合部は、前記第１の回転軸及び前記第２の回転軸に夫々形成された切欠部である、
ことを特徴とする請求項１に記載のヒンジ装置。
【請求項３】
前記係合部は、前記他方の回転軸に形成された前記切欠部が前記一方の回転軸の軸端面又は外周部に係合することで、前記一方の回転軸を回転可能とするとともに前記他方の回転軸の回転を規制する、
ことを特徴とする請求項２に記載のヒンジ装置。
【請求項４】
第１及び第２の筐体と、
請求項１乃至３のいずれか１項に記載のヒンジ装置と、を備えた、
ことを特徴とする携帯機器。
【請求項５】
第１及び第２の筐体と、
前記第１の筐体と前記第２の筐体とを折り畳んだ状態から相対的に回転させて縦方向に開放させる第１の回転軸と、
前記第１の筐体と前記第２の筐体とを横方向に相対的に回転させる第２の回転軸と、
前記第１の回転軸と前記第２の回転軸とを夫々の端部が重なった状態で連結する連結部と、
前記第１の回転軸及び前記第２の回転軸が夫々所定の第１の角度及び第２の角度以外に有る場合に、前記第１の回転軸及び前記第２の回転軸のうちいずれか一方の回転軸が他方の回転軸に係合することで、前記一方の回転軸を回転可能とするとともに前記他方の回転軸の回転を規制し、前記第１の回転軸及び前記第２の回転軸が前記第１の角度及び前記第２の角度に有る場合に、前記係合を解除する係合部と、
前記第２の筐体とともに前記第１の回転軸を中心に回転可能な第３の筐体と、
前記第３の筐体に設けられ、前記係合部において前記第２の回転軸が回転可能な場合に、第１の位置において前記第２の筐体を係止することで前記第２の回転軸の回転を規制し第２の位置において前記第２の筐体との係止を解除する規制スイッチと、を備えた、
ことを特徴とする携帯機器。
【発明の詳細な説明】
【技術分野】
【０００１】
本発明は、２軸式のヒンジ装置及び折り畳み式の携帯機器に関する。
【背景技術】
【０００２】
近時、表示部と本体（操作部）とを折り畳み自在にヒンジ結合させた折り畳み式携帯電話機が広く知られている。特許文献１は、このような折り畳み式携帯電話機に対し、表示部を備えた受話部と本体である送話部とをヒンジにより結合して、折り畳み状態から縦方向又は横方向に開放自在にするようにした技術を開示している。
【０００３】
【特許文献１】特開２００３−１１０６７３号公報
【発明の開示】
【発明が解決しようとする課題】
【０００４】
しかしながら、特許文献１に開示された技術によれば、表示部側の筐体を開いた際に以下に示すような不都合があった。即ち、特許文献１に記載された端末は、表示部を縦方向に開いた状態でさらに横方向に開いたとき、その状態で横方向に開いた角度を保持することができない。また、筐体を横方向にも開く際に操作がしづらくなったりするという問題点があった。
【０００５】
本発明は、上記問題点に鑑みてなされたもので、筐体を閉じた状態から縦と横の二方向に開くことが可能な開閉構造を備え、縦方向の特定の角度で横方向に開いたときに縦方向の開き角度を規制して維持することが可能なヒンジ装置と、これを備えた携帯機器と、を提供することを目的とする。
また、本発明の他の目的は、筐体を縦方向及び横方向に開く動作を容易に行うことが可能な携帯機器を提供することである。
【課題を解決するための手段】
【０００６】
上記目的を達成するため、本発明のヒンジ装置は、
第１の筐体と第２の筐体とを折り畳んだ状態から相対的に回転させて縦方向に開放させる第１の回転軸と、
前記第１の筐体と前記第２の筐体とを横方向に相対的に回転させる第２の回転軸と、
前記第１の回転軸と前記第２の回転軸とを夫々の端部が重なった状態で連結する連結部と、
前記第１の回転軸及び前記第２の回転軸が夫々所定の第１の角度及び第２の角度以外に有る場合に、前記第１の回転軸及び前記第２の回転軸のうちいずれか一方の回転軸が他方の回転軸に係合することで、前記一方の回転軸を回転可能とするとともに前記他方の回転軸の回転を規制し、前記第１の回転軸及び前記第２の回転軸が前記第１の角度及び前記第２の角度に有る場合に、前記係合を解除する係合部と、を備えた、
ことを特徴とする。
【０００７】
前記係合部は、前記第１の回転軸及び前記第２の回転軸に夫々形成された切欠部である、
こととしてもよい。
【０００８】
前記係合部は、前記他方の回転軸に形成された前記切欠部が前記一方の回転軸の軸端面又は外周部に係合することで、前記一方の回転軸を回転可能とするとともに前記他方の回転軸の回転を規制する、
こととしてもよい。
【０００９】
また、本発明の携帯機器は、
第１及び第２の筐体と、上記のヒンジ装置と、を備えた、ことを特徴とする。
【００１０】
また、本発明の他の携帯機器は、
第１及び第２の筐体と、
前記第１の筐体と前記第２の筐体とを折り畳んだ状態から相対的に回転させて縦方向に開放させる第１の回転軸と、
前記第１の筐体と前記第２の筐体とを横方向に相対的に回転させる第２の回転軸と、
前記第１の回転軸と前記第２の回転軸とを夫々の端部が重なった状態で連結する連結部と、
前記第１の回転軸及び前記第２の回転軸が夫々所定の第１の角度及び第２の角度以外に有る場合に、前記第１の回転軸及び前記第２の回転軸のうちいずれか一方の回転軸が他方の回転軸に係合することで、前記一方の回転軸を回転可能とするとともに前記他方の回転軸の回転を規制し、前記第１の回転軸及び前記第２の回転軸が前記第１の角度及び前記第２の角度に有る場合に、前記係合を解除する係合部と、
前記第２の筐体とともに前記第１の回転軸を中心に回転可能な第３の筐体と、
前記第３の筐体に設けられ、前記係合部において前記第２の回転軸が回転可能な場合に、第１の位置において前記第２の筐体を係止することで前記第２の回転軸の回転を規制し第２の位置において前記第２の筐体との係止を解除する規制スイッチと、を備えた、
ことを特徴とする。
【発明の効果】
【００１１】
本発明によれば、筐体を閉じた状態から縦と横の二方向に開くことが可能な開閉構造を備え、縦方向の特定の角度で横方向に開いたときに縦方向の開き角度を規制して維持することが可能なヒンジ装置と、これを備えた携帯機器と、を提供することができる。
また、本発明によれば、筐体を縦方向及び横方向に開く動作を容易に行うことが可能な携帯機器を提供することができる。
【発明を実施するための最良の形態】
【００１２】
以下、本発明の実施形態について添付図面を参照して説明する。なお、以下の実施形態では、携帯機器として携帯電話機（携帯端末１）を例にとって説明する。
【００１３】
図１（ａ）は本実施形態に係る携帯端末１の外観を示す斜視図であり、図１（ｂ）は図１（ａ）を透視してヒンジ部３０を示す斜視図である。また、図２〜図６は携帯端末１を図１（ａ）に示す矢印ＩＩ〜ＶＩの各方向から見た図である。なお、図２〜図６においても図１と同様に、（ａ）は外観を示し、（ｂ）は内部のヒンジ部３０を示す。
【００１４】
図１（ａ），（ｂ）に示すように、携帯端末１は、第１の筐体１０と、第２の筐体２０と、ヒンジケース２１と、カメラ部２２と、ヒンジ部３０と、を備えている。
【００１５】
第１の筐体１０は、携帯端末１のいわゆる本体又は操作部と呼ばれる部分を収容する筐体である。第１の筐体１０は、制御部及び送話部（いずれも図示せず）並びに後述する操作ボタン類（操作ボタン１２，１３）等を備えている。
【００１６】
第２の筐体２０は、携帯端末１のいわゆる表示部と呼ばれる部分を収容する筐体である。第２の筐体２０は、受話部（図示せず）及び後述する表示部（２３）等を備えている。
【００１７】
ヒンジケース２１は、ヒンジ部３０を覆うとともに、カメラ部２２を収容するケースであり、携帯端末１の筐体の一部を構成する第３の筐体として機能する。また、後述するように、規制スイッチ４２もヒンジケース２１に収容されている。
【００１８】
カメラ部２２は、図示されているレンズを介してユーザのボタン操作及び制御部の指令により撮像を行う。
【００１９】
ヒンジ部３０は、２方向の動作が可能な、いわゆる２軸ヒンジである。図２（ｂ）に示すように、ヒンジ部３０は、操作側固定ブラケット３１と、操作側固定軸３２と、中間回転歯車３３と、中間回転軸３４と、表示側固定軸３５と、表示側固定ブラケット３６と、を備えている。これらのうち、操作側固定ブラケット３１、操作側固定軸３２、中間回転歯車３３及び中間回転軸３４は、全体として第１の筐体１０、ヒンジケース２１及びカバー４１に覆われている。また、表示側固定ブラケット３６は、表示側固定軸３５を介して歯車固定板３７と連結されており、第２の筐体２０に収容されている。
【００２０】
カバー４１は上述したようにヒンジ部３０の一部を覆うものであるが、筐体の縦方向の回転動作の際に第２の筐体２０及びヒンジケース２１とともに回転するため、回転軸４１ａを備えている。図示されている回転軸４１ａは１個であるが、実際には図２（ｂ）に向かってカバー４１の左右に１対設けられている。回転軸４１ａは、第１の筐体１０に設けられている軸受１１（図２（ｂ）では簡略化して表示している）によって支持されている。
【００２１】
次に、ヒンジ部３０の各部の詳細について、図１〜図６の各（ｂ）図とともに、図７及び図８（ａ）〜（ｃ）の拡大図も参照して説明する。
【００２２】
操作側固定ブラケット３１は、第１の筐体１０の内底面に固定されている。操作側固定ブラケット３１は板状体として形成されているが、その一部が第１の筐体１０への固定部に対してＬ字状に折り曲げられており、操作側固定軸３２を支持するようになっている。
【００２３】
操作側固定軸３２は、軸方向が図２（ｂ）に向かって左右となるように設けられた軸である。操作側固定軸３２の一端は操作側固定ブラケット３１に固定支持されており、他端には固定歯車である歯車３２ａが設けられている。
【００２４】
中間回転歯車３３は、歯車３２ａと歯車３４ａとの間に設けられた回転歯車である。本実施形態では、歯車３２ａ及び歯車３４ａと比べて外径及び歯数が大きい歯車として形成されている。
【００２５】
中間回転軸３４は、軸方向が図２（ｂ）に向かって左右となるように設けられた軸である。中間回転軸３４の一端は中間回転歯車３３と係合して回転する歯車３４ａであり、他端には円柱形状の一部を切り欠いた形状である回転規制部３４ｂが設けられている。回転規制部３４ｂは軸方向から見て扇形の部分が残るように切欠き３４ｃ，３４ｄが形成されている。
【００２６】
表示側固定軸３５は、軸方向が図２（ｂ）に向かって上下となるように設けられた軸である。表示側固定軸３５の一端には円柱形状の一部を切り欠いた形状である回転規制部３５ａが設けられており、他端は表示側固定ブラケット３６に連結固定されている。回転規制部３５ａの切欠き３５ｂは、図８（ａ）〜（ｃ）に示すように、軸直角方向から見て一部をＬ字状に切欠くように形成されている。
【００２７】
表示側固定ブラケット３６は、第２の筐体２０の内底面に固定されている。表示側固定ブラケット３６は板状体として形成されているが、その一部が第２の筐体２０への固定部に対してＬ字状に折り曲げられており、表示側固定軸３５の端部と固定連結されている。
【００２８】
歯車固定板３７は、板状体を折り曲げて形成されており、歯車３２ａ、中間回転歯車３３及び歯車３４ａの一方の側（図２（ｂ）に向かって右側）を支持する部材である。それとともに、歯車固定板３７は、中間回転軸３４の歯車３４ａと回転規制部３４ｂとの間と、表示側固定軸３５の回転規制部３５ａと反対側の端部との間を支持するようになっている。
【００２９】
歯車固定板３８は、板状体から形成されており、歯車３２ａ、中間回転歯車３３及び歯車３４ａの他方の側（図２（ｂ）に向かって左側）を支持する部材である。
【００３０】
上記の歯車固定板３７と歯車固定板３８とに支持される部材のうち、中間回転歯車３３、中間回転軸３４及び表示側固定軸３５は、携帯端末１全体で規定される範囲内で回転自在となっている。そして、中間回転軸３４と表示側固定軸３５とは、夫々の端部（回転規制部３４ｂ、回転規制部３５ａ）が重なった状態で角度が９０度開くように歯車固定板３７に支持されている。ここで、「端部が重なった状態」とは、本実施形態のように中間回転軸３４の軸心と表示側固定軸３５の軸心とが交差する場合以外に、双方の軸心がねじれの関係にある場合でもよい。なお、図７，８（ａ）〜（ｃ）の拡大図に示すように、中間回転軸３４は切り欠かれていない軸部が歯車固定板３７の孔を挿通しているが、拡大図以外の図では回転規制部３４ｂを明確に示すために挿通部における円柱軸の輪郭については図示を省略している。
【００３１】
また、図９（ａ）に示すように、ヒンジケース２１に設けられたスイッチ収容部２５に規制スイッチ４２が収容されている。規制スイッチ４２は、ユーザの指で突起部４２ａを押すことにより、図９（ａ）に向かって左右に動かすことが可能となっている。規制スイッチ４２を図に向かって右に動かしたとき、規制スイッチ４２の回転規制部４２ｂが第２の筐体２０内に挿入されるようになっており（図９（ａ））、図に向かって左に動かしたとき、回転規制部４２ｂが第２の筐体２０から抜けるようになっている（図９（ｂ））。
【００３２】
さらに、図１０に示すように、携帯端末１は、操作ボタン１２と、操作ボタン１３と、表示部２３と、を備えている。
【００３３】
操作ボタン１２及び操作ボタン１３は、第１の筐体１０に設けられたユーザ操作用のボタンである。操作ボタン１２は例えば押しボタンであり、操作ボタン１３は例えば押す動作とともに４方向に傾けることが可能なボタンである。これらのボタンを操作することにより、ユーザは通話、撮像、又は表示等の各種操作を制御部に指示する。
【００３４】
表示部２３は、ユーザに対し各種の文字又は画像等を表示するディスプレイパネルである。表示部２３としては、例えば液晶又は有機ＥＬ（Electroluminescence）等、各種の表示手段によるパネルを使用することができる。
【００３５】
なお、上記以外の各種部品については本明細書では図示を省略しているが、例えば第１の筐体１０に収容された制御部と第２の筐体２０に設けられた表示部２３とを電気的に接続するケーブルが設けられている。これらのケーブルを配置するために、例えば表示側固定軸３５が中空形状として形成されケーブルを挿通させるようになっていてもよい。
【００３６】
次に、上述の如く構成された携帯端末１の筐体開閉の動作について説明する。
【００３７】
本明細書では、筐体（第１の筐体１０及び第２の筐体２０）又はヒンジ部３０の動作方向を、以下のように「縦方向」及び「横方向」で表現する。「縦方向に開く」又は「縦方向に回転する」とは、携帯端末１の主な使用状態において、第１の筐体１０と第２の筐体２０とが縦方向に並ぶことをいう。すなわち、第２の筐体２０とヒンジケース２１とが操作側固定軸３２を中心に回転することをいう。また、「横方向に開く」又は「横方向に回転する」とは、携帯端末１の主な使用状態において、第１の筐体１０に対して第２の筐体２０が横方向に回転することをいう。すなわち、第２の筐体２０が表示側固定軸３５を中心に回転することをいい、第１の筐体１０と第２の筐体２０との関係が後述する図１５（ａ），（ｂ）及び図２２（ａ），（ｂ）の状態を含むものとする。
【００３８】
（筐体を閉じた状態）
図１１（ａ），（ｂ）及び図１２に筐体を閉じた状態を示す。この状態は、これまで説明してきた図１〜図９の状態と同じであり、ヒンジ部３０の位置関係も同様である。第２の筐体２０（及び第１の筐体１０）は複数の筐体部材から構成されており、図１１（ｂ）及び図１２では、図示の便宜のため第２の筐体２０のうち一部の筐体部材を取り外している。
【００３９】
この状態から、第１の筐体１０に対して第２の筐体２０を縦方向（図１２の矢印Ｖ１）又は横方向（図１２の矢印Ｈ１）に開くことが可能である。すなわち、第２の筐体２０を縦方向に開くのに伴って、中間回転軸３４の回転規制部３４ｂもＶ１方向に回転するが、回転規制部３５ａの切欠き３５ｂが回転規制部３４ｂ側にあるために中間回転軸３４は係止されない。また、第２の筐体２０を横方向に開くのに伴って、表示側固定軸３５の回転規制部３５ａもＨ１方向に回転するが、回転規制部３４ｂの切欠き３４ｃが回転規制部３５ａ側にあるために表示側固定軸３５は係止されない。
【００４０】
（筐体を縦方向に全開させた状態）
筐体を縦方向に開く動作が行われるとき、中間回転歯車３３が歯車３２ａの周囲をＶ１方向に回転し、それに伴い歯車３４ａ及び同軸の回転規制部３４ｂはＶ１方向と反対側の方向に回転する。図１３（ａ），（ｂ）及び図１４に筐体を全開させた状態を示す。この状態は、上述した図１０の状態と同じであり、これ以上の回転は例えばヒンジケース２１が第１の筐体１０と係合することなどにより規制される。
【００４１】
この状態から、第２の筐体２０を縦方向に閉じる動作（図１４の矢印Ｖ２）は上述した動作と反対方向の動作であるため当然に可能である。しかし、このとき図１４では回転規制部３４ｂは回転規制部３５ａの切欠き３５ｂに入り込んでいるため、第２の筐体２０を横方向に回転させようとすると切欠き３５ｂと回転規制部３４ｂの軸端面又は外周部とが係合する。これによって回転規制部３５の回転、すなわち第２の筐体２０の横方向の回転は規制される。
【００４２】
（筐体を横方向に開いた状態）
図１５（ａ），（ｂ）及び図１６に筐体を横方向に開いた状態を示す。横方向の回転も、適宜ストッパを設けることにより、所定の角度まで行うことができ、図示された状態は本実施形態では全開であるものとする。
【００４３】
この状態から、第２の筐体２０を横方向に閉じる動作（図１６の矢印Ｈ３）は上述した動作と反対方向の動作であるため当然に可能である。しかし、このとき図１６では回転規制部３５ａは回転規制部３４ｂの切欠き３４ｃに入り込んでいるため、第２の筐体２０を縦方向に回転させようとすると切欠き３４ｃと回転規制部３５ａの軸端面又は外周部とが係合する。これによって中間回転軸３４の回転、すなわち第２の筐体２０の縦方向の回転は規制される。
【００４４】
（筐体を縦方向に９０度開いた状態）
図１７〜図１９に筐体を縦方向に９０度開いた状態を示す。図１８及び図１９に示すように、回転規制部３４ｂと回転規制部３５ａとの関係より、この状態から表示側固定軸３５を中心として第２の筐体２０を横方向（図１９のＨ４方向）に回転させることができる。なお、縦方向（図１９のＶ４方向）に回転可能なことは上述したとおりである。
【００４５】
また、換言すれば、特定の角度（本実施形態では９０度）以外では筐体を縦方向に開いた状態で横方向には開かないため、横開きに伴う不用意な筐体同士の接触を防ぐことができる。
【００４６】
このように、本実施形態では、回転機構に歯車を採用することによって回転規制部３４ｂの角度を正確に割出すことができる。本実施形態の例では、歯車３４ａの歯数が中間回転歯車３３の歯数より少ないことから、第１の筐体１０に対する第２の筐体２０の回転角に比べて中間回転軸３４の回転角が大きくなり、筐体が横開き可能な角度範囲の遊びを小さくすることができる。なお、歯車の構成は本実施形態の例に限られない。例えば、歯車３４ａの歯数を中間回転歯車３３の歯数より多くすることで、横方向に回転可能な角度範囲の微調整がしやすくなるようにすることとしてもよい。
【００４７】
（筐体を縦方向に９０度開いた状態で横方向に開く動作）
図２０（ａ），（ｂ）に示すように、一般的にユーザ５０が筐体を縦方向に開いた状態で携帯端末１００を横に持って操作するとき、筐体を横方向にも開きたい場合がある。例えば、カメラ部２２を用いて動画撮影をする場合において、表示部２３の表示画面を見ながら撮影のアングルを変えたいときなどが該当する。このとき、アングルを変えた状態で筐体が不用意に縦方向に回転してしまい、例えば第２の筐体２０の“Ｐ”部と第１の筐体１０の“Ｑ”面とが接触してしまう場合があった。また、筐体を縦方向に開いた状態で横方向に開く操作がしづらくなってしまうという不都合もあった。
【００４８】
本実施形態の携帯端末１は、上述したようにヒンジケース２１に筐体の横方向の回転を規制する規制スイッチ４２を備えている。図２１に筐体を縦方向に９０度開いたときの規制スイッチ４２の位置を示す。これにより、図２０（ａ）の状態からユーザ５０は右手で規制スイッチ４２を操作しつつ、左手で第２の筐体２０を持って横方向に開く動作を容易に行うことができる。すなわち、表示部２３の角度を変える際の操作性を向上させることが可能である。
【００４９】
図２２〜図２４に筐体を縦方向に９０度開いた後に横方向に１８０度開いた状態を示す。回転規制部３４ｂと回転規制部３５ａとの関係より、この状態から第２の筐体２０を横方向に回転させる動作（図２４の矢印Ｈ５）は可能である。しかし、図２４に示すように、このとき回転規制部３５ａは回転規制部３４ｂの切欠き３４ｄに入り込んでいるため、第２の筐体２０を縦方向に回転させようとすると切欠き３４ｄと回転規制部３５ａの軸端面又は外周部とが係合する。これによって中間回転軸３４の回転、すなわち第２の筐体２０の縦方向の回転は規制される。
【００５０】
以上説明したように、本実施形態の携帯端末１は、互いに軸端部が重なった状態で連結され、互いの回転／係止を回転角度によって切り替える係合部（回転規制部３４ｂ及び回転規制部３５ａ）をヒンジ部３０に備えている。これにより、筐体を閉じた状態から縦方向及び横方向の二方向にそれぞれ回転させることが可能であるとともに、筐体を特定の角度で縦方向に回転させたときにさらに横方向にも回転させることができる。このとき、縦方向及び横方向に回転させた状態には縦方向の回転が規制されるため、この状態を容易に維持することが可能である。また、回転規制部３４ｂ及び回転規制部３５ａは夫々軸端の切欠きであり、一方の切欠きと他方の軸端面又は軸外周部とが係合する。これにより、それぞれの回転規制部を容易に形成することができるとともに係合部の構成をシンプルにすることができる。
【００５１】
また、本実施形態の携帯端末１は、第２の筐体２０の横方向の回転を規制する規制解除機構（規制スイッチ４２）を備えているので、携帯端末１を手に持った状態で容易に縦方向及び横方向の回転動作を行うことができる。
【００５２】
なお、この発明は上述した実施形態・具体例に限定されず、種々の変形及び応用が可能である。
【００５３】
本発明は、携帯電話機以外にも、例えば、カメラ、ＰＤＡ（Personal Digital Assistant）、ノートＰＣ（Personal Computer）、ウェアラブルＰＣ、電卓、電子辞書など、筐体の開閉構造を備えた種々の電子装置に適用することができる。
【００５４】
また、上述の実施形態では筐体を縦方向に９０度開いたときに横方向の回転が可能であるものとしている。これ以外にも、回転規制部３４ｂと回転規制部３５ａとで切欠部（切欠き３４ｃ、切欠き３４ｄ、切欠き３５ｂ）の位置関係を変更することによって縦方向の回転角度が９０度以外の任意の角度で横方向の回転を許可するように構成することができる。
【００５５】
また、回転／係止の機構を回転軸に切欠きを設けることで構成しているが、例えば軸に対する突起を設けることによってもよい。
【００５６】
また、第１の筐体１０及び第２の筐体２０はどのような機能を備えた筐体であってもよく、例えば、両筐体がタッチパネルを備えたものであってもよい。
【００５７】
また、上述の実施形態では、縦方向の開放動作が基本である筐体について説明しているが、本明細書における縦／横の概念は相対的なものであるため、横方向の開放動作が基本である筐体に本発明のヒンジ装置を用いてもよい。さらに、本実施形態の携帯端末１は主な使用状態で縦方向が長手方向の筐体であるが、例えば横方向が長手方向の筐体であってもよい。
【００５８】
その他、具体的な細部構造等についても適宜に変更可能であることは勿論である。
【図面の簡単な説明】
【００５９】
【図１】本発明の実施形態に係る携帯端末を示す斜視図であり、（ａ）は外観を示し、（ｂ）はヒンジ部を示す。
【図２】図１の携帯端末を矢印ＩＩの方向から見た図であり、（ａ）は外観を示し、（ｂ）はヒンジ部を示す。
【図３】図１の携帯端末を矢印ＩＩＩの方向から見た図であり、（ａ）は外観を示し、（ｂ）はヒンジ部を示す。
【図４】図１の携帯端末を矢印ＩＶの方向から見た図であり、（ａ）は外観を示し、（ｂ）はヒンジ部を示す。
【図５】図１の携帯端末を矢印Ｖの方向から見た図であり、（ａ）は外観を示し、（ｂ）はヒンジ部を示す。
【図６】図１の携帯端末を矢印ＶＩの方向から見た図であり、（ａ）は外観を示し、（ｂ）はヒンジ部を示す。
【図７】図１（ｂ）に示すヒンジ部の部分拡大図である。
【図８】（ａ）は図２（ｂ）のヒンジ部の拡大図であり、（ｂ）は図６（ｂ）のヒンジ部の拡大図であり、（ｃ）は図５（ｂ）のヒンジ部の拡大図である。
【図９】（ａ），（ｂ）は規制スイッチの構成及び動作を示す図である。
【図１０】携帯端末の他の構成部品を示す斜視図である。
【図１１】筐体を閉じた状態の携帯端末を示す斜視図であり、（ａ）は外観を示し、（ｂ）はヒンジ部を示す。
【図１２】図１１（ｂ）に示すヒンジ部の部分拡大図である。
【図１３】筐体を縦方向に全開した状態の携帯端末を示す斜視図であり、（ａ）は外観を示し、（ｂ）はヒンジ部を示す。
【図１４】図１３（ｂ）に示すヒンジ部の部分拡大図である。
【図１５】筐体を横方向に開いた状態の携帯端末を示す斜視図であり、（ａ）は外観を示し、（ｂ）はヒンジ部を示す。
【図１６】図１５（ｂ）に示すヒンジ部の部分拡大図である。
【図１７】筐体を縦方向に９０度開いた状態の携帯端末を示す斜視図であり、（ａ）は外観を示し、（ｂ）はヒンジ部を示す。
【図１８】図１７（ｂ）の携帯端末を矢印ＸＶＩＩＩの方向から見た図である。
【図１９】図１７（ｂ）に示すヒンジ部の部分拡大図である。
【図２０】（ａ），（ｂ）は携帯端末のカメラ部及び表示部を使用する一形態を示す図である。
【図２１】筐体を縦方向に９０度開いた状態における規制スイッチを示す斜視図である。
【図２２】筐体を縦方向に９０度開き、さらに横方向に開いた状態の携帯端末を示す斜視図であり、（ａ）は外観を示し、（ｂ）はヒンジ部を示す。
【図２３】図２２（ｂ）の携帯端末を矢印ＸＸＩＩＩの方向から見た図である。
【図２４】図２２（ｂ）に示すヒンジ部の部分拡大図である。
【符号の説明】
【００６０】
１…携帯端末、１０…第１の筐体、１１…軸受、１２…操作ボタン、１３…操作ボタン、２０…第２の筐体、２１…ヒンジケース、２２…カメラ部、２３…表示部、２５…スイッチ収容部、３０…ヒンジ部、３１…操作側固定ブラケット、３２…操作側固定軸、３２ａ…歯車、３３…中間回転歯車、３４…中間回転軸、３４ａ…歯車、３４ｂ…回転規制部、３４ｃ…切欠き、３４ｄ…切欠き、３５…表示側固定軸、３５ａ…回転規制部、３５ｂ…切欠き、３６…表示側固定ブラケット、３７…歯車固定板、３８…歯車固定板、４１…カバー、４１ａ…回転軸、４２…規制スイッチ、４２ａ…突起部、４２ｂ…回転規制部、５０…ユーザ、１００…携帯端末
【図１】
2010156363.tif 000003
【図２】
2010156363.tif 000004
【図３】
2010156363.tif 000005
【図４】
2010156363.tif 000006
【図５】
2010156363.tif 000007
【図６】
2010156363.tif 000008
【図７】
2010156363.tif 000009
【図８】
2010156363.tif 000010
【図９】
2010156363.tif 000011
【図１０】
2010156363.tif 000012
【図１１】
2010156363.tif 000013
【図１２】
2010156363.tif 000014
【図１３】
2010156363.tif 000015
【図１４】
2010156363.tif 000016
【図１５】
2010156363.tif 000017
【図１６】
2010156363.tif 000018
【図１７】
2010156363.tif 000019
【図１８】
2010156363.tif 000020
【図１９】
2010156363.tif 000021
【図２０】
2010156363.tif 000022
【図２１】
2010156363.tif 000023
【図２２】
2010156363.tif 000024
【図２３】
2010156363.tif 000025
【図２４】
2010156363.tif 000026